(57)【要約】【課題】略長方形のフィルムの両端を封筒状又は合掌状に重ね合わせて筒状に熱封緘し、その開口面を熱封緘する際、タイトな包装が可能な仕上げ装置の提供。【解決手段】略長方形の物品（２０）を略長方形のフィルム（１０）で熱封緘する包装機械であって、略長方形のフィルム（１０）の両端を重ね合わせて筒状に熱封緘し、その開口面を対向する一対のフィルム（１１、１２）を中心線に沿って横方向に押し広げると共に、対向するもう一方のフィルム（１３、１４）を上方及び下方より折り込みプレート（２１、２１）でフィルム（１０）を物品（２０）に接触させるように重ね合わせた後、シール板（２２、２２）により斜め方向より押圧して熱封緘する。【選択図】図１
2004083046.tif 000002
【特許請求の範囲】
【請求項１】
略直方体の物品を略長方形のフィルムで熱封緘する包装形態において、略長方形のフィルムの両端を封筒状又は合掌状に重ね合わせて筒状に熱封緘し、その略四角形の開口面を対向する一対のフィルムを中心線に沿って横方向に押し広げると共に、対向するもう一対のフィルムを物品に接触させるように上方及び下方より押圧して前記フィルムの内面同士を重ね合わせて熱封緘することを特徴とする包装機における開口面の熱封緘方法。
【請求項２】
略直方体の物品を略長方形のフィルムで熱封緘する包装機械であって、略長方形のフィルムの両端を封筒状又は合掌状に重ね合わせて筒状に熱封緘し、その略四角形の開口面を対向する一対のフィルムを中心線に沿って横方向に押し広げると共に、対向するもう一対のフィルムを上方及び下方より折り込みプレートで該フィルムを物品に接触させるように重ね合わせた後、シール板により斜め方向より押圧して熱封緘することを特徴とする包装機におけるタイト仕上げ装置。
【発明の詳細な説明】
【０００１】
【発明の属する技術分野】
本発明は、包装機における開口面の熱封緘方法と該熱封緘方法を用いた包装機におけるタイト仕上げ装置に関するものである。
【０００２】
【従来の技術】
キャンディー、チョコレート等のマルチ包装における開口面の熱封緘方法として最近は、例えば、図２に示すように、開口面を対向する一対のフィルム（１１、１２）を中心線に沿って横方向に三角形状に押し広げると共に、対向するもう一対のフィルム（１３、１４）を上方および下方より押圧して熱封緘し、該封緘部分（１５）を下折りして両端の三角形状の耳（１６、１７）を内側に折り込んで開口面と熱圧着する方法が包装体に密封性を持たせるため増えてきた。
【０００３】
しかしながら、この包装形態においては、側面の一対のフィルム（１１、１２）を押し広げた後、すぐに上下方向のもう一対のフィルム（１３、１４）を熱封緘するため、タイトな包装に成りにくい、包装フィルムも少し余裕を持った寸法（ｓ）が必要になる、等の問題がある（図３参照）。
【０００４】
【発明が解決しようとする課題】
本発明は、略長方形のフィルムの両端を封筒状又は合掌状に重ね合わせて筒状に熱封緘し、その開口面を熱封緘する包装形態に関する以上のような問題点を除去するためになされたもので、包装機におけるタイトな包装が可能な仕上げ装置を提供することを課題とする。
【０００５】
【課題を解決するための手段】
本発明の請求項１の発明は、略直方体の物品を略長方形のフィルムで熱封緘する包装形態において、略長方形のフィルムの両端を封筒状又は合掌状に重ね合わせて筒状に熱封緘し、その略四角形の開口面を対向する一対のフィルムを中心線に沿って横方向に押し広げるように折り曲げると共に、対向するもう一対のフィルムを物品に接触させるように上方及び下方より押圧して前記フィルムの内面同士を重ね合わせて熱封緘することを特徴とする包装機における開口面の熱封緘方法である。
【０００６】
このように請求項１記載の発明によれば、略長方形のフィルムの両端を封筒状又は合掌状に重ね合わせて筒状に熱封緘し、その略四角形の開口面を対向する一対のフィルムを中心線に沿って横方向に押し広げるように折り曲げると共に、対向するもう一対のフィルムを物品に接触させるように上方及び下方より押圧して前記フィルムの内面同士を重ね合わせて熱封緘するので、開口面はよりタイトな熱封緘包装が可能になる。
【０００７】
請求項２の発明は、略直方体の物品を略長方形のフィルムで熱封緘する包装機械であって、略長方形のフィルムの両端を封筒状又は合掌状に重ね合わせて筒状に熱封緘し、その略四角形の開口面を対向する一対のフィルムを中心線に沿って横方向に押し広げると共に、対向するもう一対のフィルムを上方及び下方より折り込みプレートで該フィルムを物品に接触させるように重ね合わせた後、シール板により斜め方向より押圧して熱封緘することを特徴とする包装機におけるタイト仕上げ装置である。
【０００８】
このように請求項２記載の発明によれば、略長方形のフィルムの両端を封筒状又は合掌状に重ね合わせて筒状に熱封緘し、その略四角形の開口面を対向する一対のフィルムを中心線に沿って横方向に押し広げると共に、対向するもう一対のフィルムを上方及び下方より折り込みプレートで該フィルムを物品に接触させるように重ね合わせた後、シール板により斜め方向より押圧して熱封緘するので、開口面はよりタイトな熱封緘包装が可能な装置である。
【０００９】
【発明の実施の形態】
本発明の包装機における開口面の熱封緘方法と該熱封緘方法を用いたタイト仕上げ装置を一実施形態に基づいて以下に詳細に説明する。
本発明の包装機におけるタイト仕上げ装置は、例えば、図１（ａ）、（ｂ）に示すように、略直方体の物品（２０）を略長方形のフィルム（１０）で熱封緘する包装機械であって、略長方形のフィルム（１０）の両端を封筒状又は合掌状に重ね合わせて筒状に熱封緘し、その略四角形の開口面を対向する一対のフィルム（１１、１２）を中心線に沿って横方向に押し広げると共に、対向するもう一対のフィルム（１３、１４）を上方及び下方より折り込みプレート（２１）で該フィルムを物品に接触させるように重ね合わせた後、シール板（２２）により斜め方向より押圧して熱封緘することを特徴とする包装機におけるタイト仕上げ装置である。
【００１０】
略長方形のフィルム（１０）の両端を封筒状又は合掌状に重ね合わせて筒状に熱封緘した後、その略四角形の開口面をフィルムで熱封緘する仕組みをさらに詳細に説明する。
【００１１】
一般的にはフィルムは巻き取り状態で包装機に供給され、包装機上でフィルムは長方形にカットされる。
先ず、略直方体の物品（２０）が略長方形のフィルム（１０）の略中央に載置される。
ついで、物品が載置された略長方形のフィルム（１０）の両端を物品を包むように封筒状又は合掌状に重ね合わせて筒状にして熱封緘する。
【００１２】
筒状に形成されたフィルムの開口面の対向する一対のフィルム（１１、１２）を中心線に沿って横方向に押し広げる。
同時に、対向するもう一対のフィルム（１３、１４）を上方及び下方より折り込みプレート（２１）で該フィルムを物品（２０）に接触させるように重ね合わせた後、シール板（２２）により斜め方向より押圧して熱封緘する（図２参照）。
【００１３】
上方及び下方より折り込みプレート（２１）を用いて一対のフィルム（１３、１４）を物品（２０）に接触させるようにし、かつ、一対のフィルムを熱封緘（１５）させるに際しては、シール板（２２）を斜め外方から開口面の中心部分に向けて押圧するので、開口部はタイトな熱封緘が可能になる。
【００１４】
すなわち、開口部をシールするに際し、横方向に押し広げてシールするだけでなく、シールする手前に上方及び下方より折り込みプレート（２１）を用いて一対のフィルム（１３、１４）を物品（２０）に接触させるようにするタイト仕上げ装置を設けることにより、タイトな仕上がりの密封包装品が出来上がる。
【００１５】
【発明の効果】
上記のように、本発明の包装機における開口面の熱封緘方法と該熱封緘方法を用いたタイト仕上げ装置を用いることにより、よりタイトな仕上がりの密封包装品ができる。
【図面の簡単な説明】
【図１】本発明の包装機における開口面の熱封緘方法と該熱封緘方法を用いたタイト仕上げ装置の一実施例を示す、（ａ）は模式説明図であり、（ｂ）は（ａ）の開口面の熱封緘状態を示す拡大説明図である。
【図２】包装機における開口面の熱封緘方法を示す工程説明図である。
【図３】従来の包装機における開口面の熱封緘状態を示す説明図である。
【符号の説明】
１０‥‥フィルム
１１、１２‥‥対向する一対のフィルム
１３、１４‥‥対向するもう一対のフィルム
１５‥‥熱封緘部分
１６、１７‥‥三角形の耳
２０‥‥直方体の物品
２１‥‥折り込みプレート
２２‥‥シール板
ｓ‥‥余裕寸法
【図１】
2004083046.tif 000003
【図２】
2004083046.tif 000004
【図３】
2004083046.tif 000005